(57)【要約】    【課題】  使用中の体の動きにより装飾片が微妙に揺動して、装飾片に取り付けられた宝石が十分に光輝くことのできるペンダントを提供すること。    【解決手段】  ネックレスとの連結部を備えたペンダントの筒状の台座３１の背面に平坦な定着部３２を設け、前面頂部略中央より最高位の高さで突設される吊り下げ部３７とその先端には吊り下げ孔３５を形成し、宝石４０ａなどを取付けた装飾片４０を揺動可能に吊下げる。    【選択図】    図６
2006110373.tif 000002
【特許請求の範囲】
【請求項１】
一方の面には先端に吊り下げ孔を形成した吊り下げ部を突設すると共に中央に凹部を形成し、他方の面には胸元と接触する定着部を形成した台座と、前記吊り下げ孔に揺動可能に吊り下げられた装飾片とを具備すると共に、該台座の下端部が、前記装飾片の下端部よりも下方に位置することを特徴とすることを特徴とするペンダント。
【請求項２】
前記台座の直径は、前記装飾片に取り付けられる宝石の直径とほぼ同じ大きさで少なくとも大きいことを特徴とする請求項１に記載のペンダント。
【請求項３】
前記台座の厚みは、外周にわたってほぼ同じ高さで少なくとも前記装飾片の高さよりも低いことを特徴とする請求項１〜請求項２のいずれか１に記載のペンダント。
【請求項４】
前記台座の形状は、筒状、ドーナツ状、略中央に凹部を形成した板状からなる群より選ばれるいずれか１の形状により形成されたものであることを特徴とする請求項１〜請求項３のいずれか１に記載のペンダント。
【請求項５】
前記装飾片の形状は、略円形状、略ハート形状、略涙形状、略卵形状、多角形状からなる群より選ばれるいずれか１の形状により形成されたものであることを特徴とする請求項１〜請求項４のいずれか１に記載のペンダント。
【請求項６】
前記装飾片は、宝石と該宝石のクラウンに当接する複数本の爪部及び該宝石のパビリオンに巻着する係止カバーと該係止カバー頂部に取付けた輪環を有し、前記宝石を固定すると共に前記輪環を前記台座の吊り下げ部に揺動可能に吊り下げたことを特徴とする請求項１〜請求項５のいずれか１に記載のペンダント。
【請求項７】
前記装飾片は、宝石と該宝石のガードルに巻装する係止リングと該係止リングの頂部に取付けた輪環を有し、前記宝石を固定すると共に前記輪環を前記台座の吊り下げ部に揺動可能に吊り下げたことを特徴とする請求項１〜請求項５のいずれか１に記載のペンダント。
【発明の詳細な説明】
【技術分野】
【０００１】
本発明は、ダイアモンドなどの宝石を取りつけた装飾片を揺動可能に吊り下げて形成するペンダントに関する。
【背景技術】
【０００２】
ペンダントには、多種多様のものが有り、その形状もさまざまであるが、首などに介装するためのネックレスとダイアモンドなどの宝石を取り付けた装飾片とから構成され、装飾片を輪環などを介してネックレス中央に吊り下げるか、あるいは装飾片の両側に、ネックレスの両端を直接ロー付けして連結するタイプが主として存在する。
【０００３】
例えば、図１及び図２に示されるのは、装飾片２をネックレス中央に吊り下げたペンダント１で、ダイアモンドなどの宝石２ａの周辺部であるガードル(図示せず)を金属製リングである台座４により直接巻装し、台座４の頂部には輪環３を形成すると共に輪環３内にネックレス用チェーン５を挿通して構成するものである。
【発明の開示】
【発明が解決しようとする課題】
【０００４】
しかし、ペンダント１においては、装飾片２の底部は胸元の肌に直接当接し、使用中に身につける人の動きがあっても装飾片２自体が揺動することはあまりない。したがって、装飾片２に取付けられた宝石２ａに入射する光は一定方向に限定され、種々の異なる方向から入射した光が宝石２ａで反射され、宝石２ａがきらきらと美しい輝きを発揮するという点では不十分であり、装身具としての魅力にやや欠けた製品となってしまうという間題点を有していた。
【０００５】
一方、図３に示されるのは、上方にチェーン連結部１２を有した台座１３の背面に平坦な定着部１５を設け、台座１３の正面略中央には隆起状の吊り下げ部１７を形成すると共に吊り下げ部１７先端には吊り下げ孔１８を形成し、吊り下げ孔１８に装飾片２０を揺動可能に吊り下げたことを特徴とするペンダント１０である。
【０００６】
ペンダント１０においては、空間部を確保しつつ台座１３に吊り下げられた装飾片２０は自由に揺動し、種々の異なる方向から入射する光により宝石２０ａがきらきら反射し、宝石の美しい輝きを発するものの、ペンダント１０を安定させるために台座１３を大きく形成しなければならないこと、空間部の確保のため吊り下げ部１７を大きく突出させなければならないなどの理由より、身につける装身具としての使い勝手やそのデザイン性にやや欠けるという問題点を有していた。
【０００７】
【特許文献１】特許第１９８４９９６号公報
【０００８】
本発明は、使用中の体の動きにより装飾片が微妙に揺動して、装飾片に取り付けられた宝石が十分に光輝くことのできるペンダントを提供することを目的とする。また、身につける人の体の動きによっても、ペンダント自体が振れたり裏返しにならない安定性に優れたペンダントを提供することを目的とする。さらに、本発明は、身につける装身具としての使い勝手やそのデザイン性にも優れたペンダントを提供することを目的とする。
【課題を解決するための手段】
【０００９】
本発明のペンダントは、一方の面には先端に吊り下げ孔を形成した吊り下げ部を突設すると共に中央に凹部を形成し、他方の面には胸元と接触する定着部を形成した台座と、前記吊り下げ孔に揺動可能に吊り下げられた装飾片とを具備すると共に、該台座の下端部が、前記装飾片の下端部よりも下方に位置することを特徴とする。本発明のペンダントにおいては、前記台座の直径は、前記装飾片に取り付けられる宝石の直径とほぼ同じ大きさで少なくとも大きいことが好ましい。本発明のペンダントにおいては、前記台座の厚みは、外周にわたってほぼ同じ高さで少なくとも前記装飾片の高さよりも低いことが好ましい。本発明のペンダントにおいては、前記台座の形状は、筒状、ドーナツ状、略中央に凹部を形成した板状からなる群より選ばれるいずれか１の形状により形成されたものであることが好ましい。本発明のペンダントにおいては、前記装飾片の形状は、略円形状、略ハート形状、略涙形状、略卵形状、多角形状からなる群より選ばれるいずれか１の形状により形成されたものであることが好ましい。本発明のペンダントにおいては、前記装飾片は、宝石と該宝石のクラウンに当接する複数本の爪部及び該宝石のパビリオンに巻着する係止カバーと該係止カバー頂部に取付けた輪環を有し、前記宝石を固定すると共に前記輪環を前記台座の吊り下げ部に揺動可能に吊り下げたことが好ましい。本発明のペンダントにおいては、前記装飾片は、宝石と該宝石のガードルに巻装する係止リングと該係止リングの頂部に取付けた輪環を有し、前記宝石を固定すると共に前記輪環を前記台座の吊り下げ部に揺動可能に吊り下げたことが好ましい。
【発明の効果】
【００１０】
本発明に係るペンダントによれば、使用中の体の動きにより装飾片が微妙に揺動して、装飾片に取り付けられた宝石が十分に光輝くことができる。また、使用中のペンダントは、定着部により台座が胸元と面接触され、かつ貴金属素材からなる台座が重量を有するので、台座が捩れたり裏返ったりすることがなく、常にペンダントの装飾片を正面に向かせて使用することができる。さらに、種々の筒状の台座を装飾片の形状と合わせることにより、装飾片を不必要に目立たせることがなく、装身具としてのデザイン性にも優れている。
【発明を実施するための最良の形態】
【００１１】
以下、本発明にかかるペンダントの実施形態を図面により詳細に説明する。図４は本発明の第１の実施形態を示すもので、第１台座に第１装飾片を取付けた第１ペンダントの正面図、図５はその側面図、図６はその断面図、図７はその前後方向の揺動状態を示す説明図、図８はその左右方向の揺動状態を示す説明図である。
【００１２】
第１ペンダント３０は、例えば、金、銀、プラチナなどの貴金属や真鍮などの金属や合成樹脂を原材料として形成した筒状の台座３１と、例えば、ダイアモンド、エメラルド、ルビーなどの宝石を取り付けた第１装飾片４０とから構成され、第１ペンダント３０を胸元へ吊るすためには、従来のペンダント同様に貴金属や金属などを原材料として形成したネックレス用チェーン（図示せず。）が使用される。
【００１３】
第１ペンダント３０の台座３１は、図４に示すごとく、正面方向から見る場合には略円形の筒状を構成し、台座３１の上部前面略中央にはプレート状の吊り下げ部３７が取り付けられている。また、吊り下げ部３７の根元部分は開口され、連結孔３３が設けられている。第１ペンダント３０は連結孔３３にネックレス用チェーンを挿通することで首からぶら下げることができる。
【００１４】
ただし、第１ペンダント３０において、ネックレス用チェーンとの連結方法について特に限定があるわけではない。例えば、台座３１の上部両側周面に中央で切断されたネックレス用チェーンの両端を直接ロー付けすることもでき、その場合にはより安定して第１ペンダント３０を身につけられる。また、連結孔３３の大きさについても特に限定はなく、その大きさを種々変えることで細径のネックレス用チェーンのみならず、太径のネックレス用チェーンや真珠などの貴石ネックレスを挿通し、第１ペンダント３０を首からぶら下げることもできる。
【００１５】
また、第１ペンダント３０を側面方向から見る場合には、台座３１の頂部で前記した吊り下げ部３７が突設されている、そして、吊り下げ部３７の先端には後記する第１装飾片４０に取り付けられた輪環４３を挿通することで、台座３１と第１装飾片４０とを連結するための吊り下げ孔３５が形成されている。また、吊り下げ部３７の先端は第１ペンダント３０において最高位の高さとなるよう調整され、具体的には、吊り下げ部の３７の先端部より台座３１の定着部３２までの高さを少なくとも第１装飾片４０に取り付けられた宝石４０ａの深さより長くすることで、台座３１に吊り下げられた第１装飾片４０が前後方向に自由に揺動する（図７参照）。すなわち、ペンダント３０を身につけた場合に、宝石４０ａの下端と身につける人の胸元との間に一定の空間部が常に確保され、第１装飾片４０が前後方向に揺動しても宝石４０ａの底部が胸元と当ることはない。
【００１６】
３２は、台座３１の背面に形成される定着部で、背面方向から見る場合には平坦面が形成され、使用時には人間の胸元と面接触することにより、人体の動きがあっても台座３１を安定して接触させることができる。くわえて、第１ペンダント３０において、台座３１は貴金属素材などからなり、宝石４０を取付けた第１装飾片４０より重量を有するので、使用中の第１装飾片４０が揺動しても、台座３１は捩れたり裏返ったりすることがなく、第１装飾片４０を常に正面に向かせて使用することができる(図１８参照)。
【００１７】
一方で、台座３１の直径は、少なくとも第１装飾片４０に取付けられる宝石４０ａの直径より大きいことが必要とされるが、第１装飾片４０とほぼ同じ大きさで目立たないように形成することも、デザイン上の趣味感よりある程度余裕をもって大きく形成することも可能である。ほとんどの宝石４０ａは一般的な形状としてパビリオン（底部）において略円錐形状（尻すぼみ形状）であるから、台座３１の直径の大きさをこのように形成することで、第１装飾片４０を台座３１に吊り下げる場合に宝石４０ａのパビリオンが台座３１の内周面と当たることがない。したがって、ペンダント３０において、第１装飾片４０は左右方向にも自由に揺動する（図８参照）。
【００１８】
また、吊り下げられる第１装飾片４０は、図５及び図６に示すごとく、宝石４０ａのパビリオン全体に巻装する略カップ形状の係止カバー４５と、宝石４０ａの上部であるクラウンに当接する複数本の爪部により宝石４０ａを挟持し、係止カバー４５の周部に形成した輪環４３を台座３１の吊り下げ孔３５と連結するものである。
【００１９】
図９は本発明の第２の実施形態を示すもので、第２台座に第２装飾片を取付けた第２ペンダントの正面図、図１０はその側面図である。
【００２０】
第２ペンダント５０は、例えば、金、銀、プラチナなどの貴金属や真鍮などの金属を原材料として形成したドーナツ板状の台座５１と、例えば、ダイアモンド、エメラルド、ルビーなどの宝石６０ａを取り付けた第２装飾片６０とから構成され、第２装飾片６０を胸元へ吊るすためには、従来のペンダント同様に貴金属や金属などを原材料として形成したネックレス用チェーン（図示せず。）が使用される。
【００２１】
第２ペンダント５０の台座５１は、図９に示すごとく、正面方向から見る場合にはドーナツ状の肉厚な板体からなり、台座５１の上部前面略中央にはプレート状の吊り下げ部５７が取り付けられている。また、吊り下げ部５７の根元部分は開口され、連結孔５３が設けられている。第１ペンダント５０は連結孔５３にネックレス用チェーンを挿通することで首からぶら下げることができる。
【００２２】
ここで、第２ペンダント５０において、連結孔５３の形状や位置については特に限定があるわけではない点は、第１ペンダントの連結部３３の場合と同様であるから、ここでは説明を省略する。
【００２３】
また、第２ペンダント５０を側面方向から見る場合には、台座５１にはある程度の厚みがあり、台座５１の頂部で前記した吊り下げ部５７が突設されている。そして、吊り下げ部５７の先端には後記する第２装飾片６０の輪環６３を挿通し、台座５１と装飾片とを連結するための吊り下げ孔５５が開口されている。そして、吊り下げ部５７の先端はペンダント５０において最高位の高さとなるよう調整されている、具体的には、第２ペンダント５０においても、第１ペンダント３０と同様に吊り下げ部５７の先端部より台座５１の定着部までの高さを少なくとも装飾片６０に取り付けられた宝石６０ａの深さより長くすることで、台座５１に吊り下げられた第２装飾片６０は前後方向に自由に揺動する。ペンダント５０を身につけた場合に、第２装飾片６０に取り付けられた宝石６０ａの下端と身につける人の胸元との間に一定の空間部が常に確保され、第２装飾片６０が前後方向に揺動しても宝石６０ａの底部が胸元と当ることがない。
【００２４】
さらに、第２ペンダント５０では、台座５１の背面に形成される定着部５２が平坦に形成され、台座５１と胸元とを面接触させることができる点は、第１ペンダントの定着部３２と同様であるから、ここでは説明を省略する。
【００２５】
くわえて、第２ペンダント５０において、台座５１の直径を少なくとも第２装飾片６０に取り付けられる宝石６０ａの直径より大きくする点も、第１ペンダント３０と同様であるから、ここでは説明を省略する。
【００２６】
また、第２ペンダント５０において吊り下げられる第２装飾片６０は、図９及び図１０に示すごとく、宝石６０ａの周部であるガードル（図示せず。）に巻装して、側部方向から宝石６０ａを挟持する係止リング６５と、係止リング６５の上部には輪環６３を取付けて、台座５１の吊り下げ孔５５と連結するものである。
【００２７】
図１１は本発明の第３の実施形態を示すもので、第３台座に第１装飾片を取付けた第３ペンダントの正面図、図１２はその側面図、図１３はその断面図である。
【００２８】
第３ペンダント７０は、例えば、金、銀、プラチナなどの貴金属や真鍮などの金属を原材料として形成し、略中央に凹部７６を形成した板状の台座７１と、第１装飾片４０とから構成され、第１装飾片４０を胸元へ吊るすためには、ネックレス用チェーン（図示せず。）が使用される。  
【００２９】
第３ペンダント７０の台座７１は、図１１に示すごとく、正面方向から見る場合には涙形状の肉厚な板体からなり、略中央には内側に窪んだ凹部７６と上部前面略中央には下垂状の吊り下げ部７７が突設されている。また、吊り下げ部７７の根元部分は開口され、連結孔７３が設けられている。第３ペンダント７０は連結孔７３にネックレス用チェーンを挿通することで首からぶら下げることができる。
【００３０】
ここで、第３ペンダント７０において、連結孔７３の形状や位置については特に限定がない点は、第１ペンダントの連結部３３の場合と同様であるから、ここでは説明を省略する。
【００３１】
また、第３ペンダント７０を側面方向から見る場合には、台座７１にはある程度の厚みがあり、台座７１の頂部で前記した吊り下げ部７７が突設されている。そして、吊り下げ部７７の先端には第１装飾片４０の輪環４３を挿通し、台座７１と装飾片とを連結するための吊り下げ孔７５が開口されている。そして、吊り下げ部７７の先端はペンダント７０において最高位の高さとなるよう調整されている、具体的には、第３ペンダント７０では、吊り下げ部７７の先端部より台座７１の凹部７６の底面７６ａまでの高さを少なくとも装飾片６０に取り付けられた宝石４０ａの深さより長くすることで、台座７１に吊り下げられた第１装飾片４０は前後方向に自由に揺動する。ペンダント７０を身につけた場合に、第１装飾片４０に取り付けられた宝石４０aの下端と身につける人の胸元との間に一定の空間部が常に確保され、第１装飾片４０が前後方向に揺動しても宝石４０ａの底部が胸元と当ることがない。
【００３２】
第３ペンダント７０では、台座７１の背面に形成される定着部７２が平坦に形成され、台座７１と胸元とを面接触させることができる点は、第１ペンダントの定着部３２と同一であるから、ここでは説明を省略する。また、第３ペンダント７０では、台座７１の下部をやや前方に湾曲することもでき、その場合には凹部７６の存在をデザイン的に目立たち難くすることができる。
【００３３】
くわえて、第３ペンダント７０においては、台座７１の凹部７６の横幅を少なくとも第１装飾片４０に取り付けられる宝石４０ａの直径より大きくすることにより、宝石４０ａのパビリオンが台座７１の凹部７６の内周面と当たることがなく、ペンダント７０において、第１装飾片４０が左右方向にも自由に揺動する。
【００３４】
また、第３ペンダント７０において吊り下げられる第１装飾片４０は、第１ペンダント３０のそれと同一であるから、ここでは説明を省略する。
【００３５】
図１４は本発明の第４の実施形態である第４ペンダントの正面図である。
【００３６】
第４ペンダント９０の台座９１は、図１４に示すごとく、正面方向から見る場合には略ハート形の筒状を構成し、台座９１の上部前面略中央には吊り下げ部９７が形成されている。また、吊り下げ部９７とほぼ同位置の周面にはネックレス用チェーンなどを挿通することができる連結部（図示せず。）が開口されている。
【００３７】
第４ペンダント９０に吊り下げられる第４装飾片９２は、ハート形状にカットされた宝石９２ａのパビリオンに巻装する係止カバー（図示せず。）と、宝石９２ａの上部に当接する複数本の爪部９５で上下方向より宝石を挟持し、係止カバーの周部に形成した輪環９３を台座９１の吊り下げ孔に連結するものであり、基本的な構造は第１装飾片４０と略同様である。
【００３８】
第４ペンダント９０の使用方法は、前記までの実施形態におけるペンダントと略同様であるから、ここでは説明を省略する。
【００３９】
図１５は本発明の第５の実施形態である第５ペンダントを示す正面図である。
【００４０】
第５ペンダント１００の台座１０１は、図１５に示すごとく、正面方向から見る場合には略涙形の筒状を構成し、台座１０１の上部前面略中央には吊り下げ部１０７が形成されている。また、吊り下げ部１０７とほぼ同位置の周面には連結部（図示せず。）が開口されネックレス用チェーンを挿通することができる。
【００４１】
第５ペンダント１００に吊り下げられる第５装飾片１０２は、涙形状にカットされた宝石１０２ａのパビリオンに巻装する係止カバー（図示せず。）と、宝石１０２ａの上部に当接する複数本の爪部１０５で宝石１０２ａを挟持し、係止カバーの周部に輪環１０３を取り付け、台座１０１の吊り下げ孔（図示せず。）に連結するものである。
【００４２】
第５ペンダント１００の使用方法は、前記までの実施形態におけるペンダントと略同様であるから、ここでは説明を省略する。
【００４３】
以上の如く、本発明をいくつかの実施形態によって説明したが、それらを以って本発明を前記実施形態のみに限定するものではなく、この発明の精神を逸脱しない限り種々の改変を加えて、多種多様の変更ができることはいうまでもない。
【００４４】
例えば、本発明に係るペンダントでは、第１ペンダントにおける第１台座に第２装飾片その他の装飾片を吊り下げることもできるし、第２ペンダントにおける第２台座に第１装飾片その他の装飾片を吊り下げることもできる。その他のペンダントと装飾片の関係においても事情は全く同じである。
【００４５】
図１６に示すのは、第４台座９１に第１装飾片４０を吊り下げたペンダント１２０の正面図であり、図１７に示すのは、第５台座１０１に第１装飾片４０を吊り下げたペンダント１２５正面図である。
【００４６】
また、装飾片に取り付けられる宝石の素材や形状に特に限定はない。例えば、ダイアモンド、ルビー、サファイア、エメラルド以外でファセットカットされた宝石やオパールなどのカボションカットされた半貴石、真珠などのラウンドシェイプ、ミラーボールなどの貴金属素材自体を使用しても良い。
【図面の簡単な説明】
【００４７】
【図１】従来のペンダントを示す正面図である。
【図２】従来のペンダントを示す側面図である。
【図３】装飾片が揺動するペンダントを示す側面図である。
【図４】本発明に係る第１ペンダントの正面図である。
【図５】本発明に係る第１ペンダントの側面図である。
【図６】本発明に係る第１ペンダントのＡ−Ａ断面図である
【図７】本発明に係る第１ペンダントの前後方向の揺動状態を示す説明図である。
【図８】本発明に係る第１ペンダントの左右方向の揺動状態を示す説明図である。
【図９】本発明に係る第２ペンダントを示す正面図である。
【図１０】本発明に係る第２ペンダントを示すＢ−Ｂ断面図である。
【図１１】本発明に係る３ペンダントを示す正面図である。
【図１２】本発明に係る第３ペンダントを示す側面図である。
【図１３】本発明に係る第３ペンダントを示すＣ−Ｃ断面図である。
【図１４】本発明に係る第４ペンダントを示す正面図である。
【図１５】本発明に係る第５ペンダントを示す正面図である。
【図１６】第３台座に第１装飾片を吊り下げた正面図である。
【図１７】第４台座に第１装飾片を吊り下げた正面図である。
【図１８】本発明に係るペンダントの使用状態を示す正面図である。
【符号の説明】
【００４８】
１  ペンダント
２  装飾片
２ａ  宝石
３  輪環
４  台座
５  ネックレス用チェーン
１０  ペンダント
１２  チェーン連結部
１５  定着部
１３  台座
１７  吊り下げ部
１８  吊り下げ孔
２０  装飾片
２０ａ  宝石
３０  第１ペンダント
３１  台座
３２  定着部
３３  連結孔
３７  吊り下げ部
４０  第１装飾片
４０ａ  宝石
４３  輪環
４５  係止カバー
５０  第２ペンダント
５１  台座
５２  定着部
５３  連結孔
５５  吊り下げ孔
５７  吊り下げ部
６０  第２装飾片
６０ａ  宝石
６３  輪環
６５  係止リング
７０  第３ペンダント
７１  台座
７２  定着部
７３  連結孔
７５  吊り下げ孔
７６  凹部
７６ａ  底部
７７  吊り下げ部
９０  第４ペンダント
９１  台座
９２  第４装飾片
９３  輪環
９２ａ  宝石
９５  爪部
９７  吊り下げ部
１００  第５ペンダント
１０１  台座
１０２  第５装飾片
１０２ａ  宝石
１０３  輪環
１０５  爪部
１０７  吊り下げ部
１２０  ペンダント
１２５  ペンダント
１３０  ネックレス用チェーン
【図１】
2006110373.tif 000003
【図２】
2006110373.tif 000004
【図３】
2006110373.tif 000005
【図４】
2006110373.tif 000006
【図５】
2006110373.tif 000007
【図６】
2006110373.tif 000008
【図７】
2006110373.tif 000009
【図８】
2006110373.tif 000010
【図９】
2006110373.tif 000011
【図１０】
2006110373.tif 000012
【図１１】
2006110373.tif 000013
【図１２】
2006110373.tif 000014
【図１３】
2006110373.tif 000015
【図１４】
2006110373.tif 000016
【図１５】
2006110373.tif 000017
【図１６】
2006110373.tif 000018
【図１７】
2006110373.tif 000019
【図１８】
2006110373.tif 000020